(57)【要約】【課題】  液体容器口部に装着された升蓋を取り外してして行う液体の計量時に、液体が手や液体容器に垂れる問題を解決する。【解決手段】    柔軟性液体容器口部に装着する升蓋側部に、升蓋上部より液体容器内に通じる液流穴と空流穴を設け、升蓋上部横に液排管と液排管先端に液体調整弁を配設して、升蓋底に液排口と液排口より液排管に続く液排穴を設け、液体容器と升蓋を横にして、升蓋の中に液体を流入した後に立て直して再度液体容器を傾けて液体を計量してから液体調整弁を開いて液体容器を握り計量した液体を液体使用箇所に排出する。【選択図】図４
2014015213.tif 000002
【特許請求の範囲】
【請求項１】
液体容器口部に装着する蓋であって、蓋側部を上に伸ばし蓋側部上を覆いで覆い、蓋側部の内側に升を設け升蓋とし、蓋側部と升側部とにより蓋側部と升側部との間に空間を形成し、前記升蓋に液排口を設けその液排口に蓋を装着すると共に升の向う両面の一方の面上端に液流口ともうー面上端に空流口が設けられていることを特徴とする升蓋液体容器。
【請求項２】
前記升蓋に液排管と液流調整弁を配設して、前記空間であって、対抗する空間の一方に液流穴と液排穴を配設し、升蓋底であり液排穴下部に液排口を設けて、他方の空間に空流穴と空流溝を配設し、升の向かう面と升側部とは共通に成っている事を特徴とする請求項１に記載の升蓋液体容器。
【請求項３】
前記升蓋側部の液流穴上部に液流口を設け、液流口を開閉し弾性部材で可動する液流調整弁を装着し、升蓋側部の空流穴上部に空流口を設け、空流口を開閉し弾性部材で可動する空流調整弁を装着し、液流穴と空流穴上に液排口を有する覆いを配設して、液流調整弁と空流調整弁を押し下げる突起を有する蓋を升蓋側部上に装着してあることを特徴とする請求項１又は請求項２のいずれかに記載の升蓋液体容器。
【請求項４】
前記液排口に軸受けが形成され前記液流穴と前記空流穴間に液流口と空流口を開閉する液空流調整弁が配設され、液空流調整弁に形成された軸が稼動可能に液排口に形成された軸受けを貫通し軸上部に弾性部材と留め具が装着されていることを特徴とする請求項１乃至請求項３のいずれかに記載の升蓋液体容器。
【請求項５】
前記液空流調整弁に輪を有する上軸と下軸を設け、升蓋底から上に伸びる下軸受け形成し、液流穴と、空流穴と、上軸受けと、下軸受け間に輪と上軸と下軸が形成された液空流調整弁と弾性部材を装着し、升蓋側部間に突起が形成された横軸を輪に通して装着し横軸の両端にハンドルを設けることを特徴とする請求項１乃至請求項４のいずれかに記載の升蓋液体容器。
【請求項６】
前記升蓋を変形するために柔軟性部材を使用し柔軟性升蓋にし、升蓋側部に液流穴と突起、空流穴と突起を形成し、空流調整弁端に液流穴の突起に係止するフックと空流穴の突起に係止するフックを形成してあることを特徴とする請求項１乃至請求項５のいずれかに記載の升蓋液体容器。
【請求項７】
前記升蓋側部に液流口を塞ぐ液流口弁と空流口を塞ぐ空流口弁と、液流口弁と空流口弁間に液流口弁と空流口弁をつなぐ横梁を設け、横梁と、液流口弁と空流口弁の接合部は、升蓋側部と、液流口弁と空流口弁の接合部より下に形成され、覆いに升蓋正面と升蓋背面を押して、押し過ぎ防止の止梁を形成してあることを特徴とする請求項１乃至請求項６のいずれかに記載の升蓋液体容器。
【請求項８】
前記横梁と、液流口弁と空流口弁の接合部は、升蓋側部と、液流口弁と空流口弁の接合部より上に形成され、覆いに升蓋左右の側面を押して、押し過ぎ防止の突起を形成してあることを特徴とする請求項１乃至請求項７のいずれかに記載の升蓋液体容器。
【請求項９】
升蓋側部又は升側部と蓋側部を共通にした面に傾斜計量線と横計量線が記入されていることを特徴とする請求項１乃至請求項８のいずれかに記載の升蓋液体容器。
【発明の詳細な説明】
【技術分野】
【０００１】
液体容器の口部に装着され液体容器内の液体必要量を計量した後に液体使用箇所に流し込む時に用いられるカップ蓋液体容器に関する。
【背景技術】
【０００２】
従来カップ蓋液体容器では特許文献１、特許文献２、特許文献３のものが知られているが、いずれも洗濯時に計量升を兼ねるカップ蓋のキャップを開けるか又はカップ蓋そのものを取り外し、液体を使用しなければならなかった。
【先行技術文献】
【特許文献】
【０００３】
【特許文献１】実開平４−１６１６４号公報
【特許文献２】実開平７−２８０５３号公報
【特許文献３】特開２０１０−１７３７１２号公報
【発明の概要】
【発明が解決しようとする課題】
【０００４】
特許文献１は、升蓋上の計量キャップを取り外して液体を計量してから液体使用箇所へ使用しなければならない、又計量キャップに出しすぎた液体を液体容器へ戻す場合に液体が計量キャップより容器や手、床などに垂れてしまう問題を解決しようとするものである。
【課題を解決するための手段】
【０００５】
請求項１は、液体容器口部に装着する蓋であって、蓋側部を上に伸ばし蓋側部上を覆いで覆い、蓋側部の内側に升を儲け升蓋とし、蓋側部と升側部とにより蓋側部と升側部との間に空間を形成し、前記升蓋に液排口を設けその液排口に蓋を装着していると共に升の向かう両面の一方の面上端に液流口ともうー面上端に空流口が設けられている升蓋液体容器である。
【０００６】
請求項2は、前記升蓋に液排管と液流調整弁を配設して、前記空間であって、対抗する空間の一方に液流穴と液排穴を配設し升蓋底であり液排穴下部に液排口を設けて、他方の空間に空流穴と空流溝を配設し、升の向かう面と升側部とは共通に成っている升蓋液体容器である。
【０００７】
請求項３は、前記升蓋側部の液流穴上部に液流口を設け、液流口を開閉し弾性部材で可動する液流調整弁を装着し、升蓋側部の空流穴上部に空流口を設け、空流口を開閉し弾性部材で可動する空流調整弁を装着して、液流穴と空流穴上に液排口を有する覆いを配設し、液流調整弁と空流調整弁を押し下げる突起を有する蓋を升蓋側部上に装着してある升蓋液体容器である。
【０００８】
請求項４は、前記液排口に軸受けが形成され前記液流穴と前記空流穴間に液流穴と空流穴を開閉する液空流調整弁が配設され、液空流調整弁に形成された軸が稼動可能に液排口に形成された軸受けを貫通し軸上部に弾性部材と留め具が装着されている升蓋液体容器である。
【０００９】
請求項５は、前記液空流調整弁に輪を有する上軸と下軸を設け、升蓋底から上に伸びる下軸受け形成し、液流穴と、空流穴と、上軸受けと、下軸受け間に輪と上軸と下軸が形成された液空流調整弁と弾性部材を装着し、升蓋側部間に突起が形成された横軸を輪に通して装着し横軸の両端にハンドルを設けてある升蓋液体容器である。
【００１０】
請求項６は、前記升蓋を変形するために柔軟性部材を使用し柔軟性升蓋にし、升蓋側部に液流穴と突起、空流穴と突起を形成し、空流調整弁端に液流穴の突起に係止するフックと空流穴の突起に係止するフックを形成してある升蓋液体容器。
【００１１】
請求項７は、前記升蓋側部に液流口を塞ぐ液流口弁と空流口を塞ぐ空流口弁と、液流口弁と空流口弁間に液流口弁と空流口弁をつなぐ横梁を設け、横梁と、液流口弁と空流口弁の接合部は、升蓋側部と、液流口弁と空流口弁の接合部より下に形成され、覆いに升蓋正面と升蓋背面を押して、押し過ぎ防止の止梁を形成してある升蓋液体容器。
【００１２】
請求項８は、前記横梁と、液流口弁と空流口弁の接合部は、升蓋側部と、液流口弁と空流口弁の接合部より上に形成され、覆いに升蓋左右の側面を押して、押し過ぎ防止の突起を形成してある升蓋液体容器。
【００１３】
請求項９は、升蓋側部又は升側部と蓋側部を共通にした面に傾斜計量線と横計量線が記入されている升蓋液体容器である。
【００１４】
請求項2に対応する柔軟性液体容器は、柔軟性液体容器において、柔軟性液体容器口部に装着する蓋側部を上に伸ばし更に蓋側部上を覆いで覆って蓋上に空間を形成して、蓋と蓋上の空間とで升蓋とし升蓋を透明素材である合成樹脂で成型する。
【００１５】
柔軟性液体容器口部に装着する升蓋上部から横へと伸びる液排管を配設し、升蓋底に液排口を設け液排口から排液管に続く液排穴を形成して、液排管先端に蓋又はハンドルを有し止め文字と止め線が記入された液流調整弁を装着する。
升蓋側部に升蓋上部より升蓋底面まで伸びて液体容器内へ続く液流穴を液排穴の左右に設け、液流穴上部を液流口とし液流口を液返線と定める。
【００１６】
液流穴と液排穴に向かう升蓋側部に升蓋上部より升蓋底間に空流溝を設け、升蓋側部に升蓋上部より升蓋底面迄伸びて液体容器内へと貫通する空流穴を空流溝左右に形成し空流穴上部を空流口とする。
升蓋側部に平面２面を対面状に設け、液返線より扇状に伸びる複数本の傾斜計量線と複数本の横計量線を記入して、同量液体量の傾斜計量線と横計量線を交合わせる。
【００１７】
請求項１に対応する液体容器は、液体容器口部に装着する蓋側部を上に伸ばし更に蓋側部の上を覆って、蓋側部の内側に升を形成し升と蓋で升蓋として、升蓋上部に液排口を形成し蓋側部の一部と升正面とを一体に成型して、升背面は升底中間部より液排口へと伸ばし、升背面上部と蓋側部とを接合させ升背面に傾斜を持たせて、升側部と蓋側部との間に空間を形成する。
【００１８】
液排口は升上部の左に寄せて設け蓋を装着し液排口を塞いで、升右側面上部に升正面上部の右端から空流口を設け、升左側面上部に升正面上部の左端から液流口を設けて、升正面に液流口下部より扇状に伸びた傾斜計量線と横計量線を交合わせて記入する。
液体容器口部は左に寄せて成型する。
【００１９】
請求項３に対応する液体容器は、液体容器口部に装着する蓋側部を上に伸ばし柔軟性部材を使用した升蓋とし升蓋側部上を蓋で覆って、升蓋側部に液流穴と空流穴を形成して、液流穴上部に液流口を設け下部は升蓋底面まで伸ばし、空流穴上部に空流口を設け下部は升蓋底面迄伸ばして、液流穴と空流穴の上部と、蓋との間に液排口を有する覆いを配設して、蓋内側に突起を形成する。
【００２０】
液流穴上部に液流調整弁を配設し空流穴上部に空流調整弁を配設して、液流穴と空流穴上に液流調整弁と空流調整弁を引き上げる弾性部材であるスプリングを配設する、又は液流調整弁と空流調整弁下に液流調整弁と空流調整弁を押し上げるスプリングを配設して、升蓋側部の下部に液体容器口部と升蓋下部との螺合の緩み止を形成する。
【００２１】
請求項４に対応する液体容器は、液体容器口部に装着する柔軟性升蓋側部に液流穴を形成し液流穴上部に液流口を設けて、升蓋側部の液流穴に対向する升蓋側部に空流穴を形成し空流穴上部に空流口を設ける。
【００２２】
升蓋上部内側に液排口を有する覆いを装着し液排口内に液流口と空流口を開閉するための液空流調整弁の軸が貫通する軸受けを形成し、液流管と空流管と軸受けとの間に上下に可動する液空流調整弁を配設して、液空流調整弁の軸上部に弾性部材のスプリングと、スプリングの留具であるナットを装着し、液空流調整弁の軸を押し下げ液排口を塞ぐ蓋を升蓋上部に装着して、液体容器口部と升蓋下部と螺合の緩み止めを形成する。
【００２３】
升蓋から蓋を外した場合液流穴と空流穴が閉じて液体容器内の液体を計量なしに液体必要箇所に直接排出できないため液体容器内の液体を計量なしに液体必要箇所に直接排出するために升蓋底又は液流穴又は空流穴に弁を設けその弁を升蓋の外より操作できる形状を形成する。
【００２４】
請求項５に対応する液体容器は、液体容器口部に装着する柔軟性升蓋側部に液流穴を形成し液流穴上部に液流口を設けて、升蓋側部の液流穴に対向する升蓋側部に空流穴を形成し空流穴上部に空流口を設ける。
【００２５】
升蓋上部内側に液排口を有する覆いを装着し、上下に可動し液流口と空流口を開閉するための液空流調整弁を液流穴と空流穴間に設け、液空流調整弁に液空流調整弁から上伸び輪が形成された上軸と下に伸びる下軸を形成して、液排口内に液空流調整弁の上軸が貫通する上軸受けを形成し、升蓋底に升蓋底から上に伸び下軸が挿入される下軸受けを形成して下軸受けと液空流調整弁間に弾性部材のスプリングを装着する。
【００２６】
升蓋側部の上部に対向する面のそれぞれの面に横軸受けを設けその横軸受けと横軸受け間に上下に可動する液空流調整弁の上下の動きを拘束するための突起を有する横軸を上軸に形成された輪を通し装着し、横軸の両端に横軸を回転するためのハンドルを配設し、液空流調整弁の軸を押し下げ液排口を塞ぐ蓋を升蓋上部に装着して、液体容器口部と升蓋下部の螺合の緩み止めを形成する。
【００２７】
請求項６に対応する液体容器は、液体容器口部に装着する柔軟性升蓋側部に液流穴と突起Ａを形成し液流穴上部に液流口を設け液流穴下部は液体容器口部に続き、升蓋側部の液流穴に向う升蓋側部に空流穴と突起Ｂを形成し空流穴上部に空流口を設け空流穴下部は液体容器口部に続く。
【００２８】
升蓋上部に液排口を有する覆いを装着し、液流口と空流口を同時に開閉するための液空流調整弁を液流穴と空流穴間に配設し、液空流調整弁端に突起Ａに係止するフックＡと突起Ｂに係止するフックＢ形成し、液空流調整弁に液空流調整弁の中央より上に伸びる軸と軸に葉バネを形成し、液排口内に軸が貫通する軸受けを設け、軸を有する液空流調整弁を液流口と空流口と軸受けを支店とし上下可動に配設する。
【００２９】
液空流調整弁と軸を押し下げ液排口を塞ぐ蓋を覆い上部に装着して、液体容器口部と升蓋下部との螺合の緩み止めを形成し、升蓋正面に傾斜計量線と横計量線を記入する。
【００３０】
請求項７に対応する液体容器は、液体容器口部に装着する弾力性に富んだ柔軟性升蓋側部に液流穴と液流穴上部に液流口を設け液流穴下部は液体容器口部に続き、升蓋側部の液流穴に向う升蓋側部に空流穴と空流穴上部に空流口を設け空流穴下部は液体容器口部に続き、升蓋上部に液排口を有する覆いを設け覆いに蓋を装着して液排口を塞ぐ。
【００３１】
液流口を塞ぐ液流口弁と空流口を塞ぐ空流口弁と、液流口弁と空流口弁間に液流口弁と空流口弁をつなぐ横梁を設け、覆いに液排口から下にさがり横軸をまたいでいて、升蓋正面と升蓋背面を押して、押し過ぎ防止の止梁を形成する。
【００３２】
液体容器口部と升蓋下部との螺合の緩み止めを形成し、升蓋正面に傾斜計量線と横計量線を記入する。
【００３３】
請求項８に対応する液体容器は、液体容器口部に装着する弾力性に富んだ柔軟性升蓋側部に液流穴と液流穴上部に液流口を設け液流穴下部は液体容器口部に続き、升蓋側部の液流穴に向う升蓋側部に空流穴と空流穴上部に空流口を設け空流穴下部は液体容器口部に続き、升蓋上部に液排口を有する覆いを設け覆いに蓋を装着して液排口を塞ぐ。
【００３４】
液流口を塞ぐ液流口弁と空流口を塞ぐ空流口弁と、液流口弁と空流口弁間に液流口弁と空流口弁をつなぐ横梁を設け、覆い下部に升蓋右側面と升蓋左側面を押して、押し過ぎ防止の突起を形成する。
【００３５】
液体容器口部と升蓋下部との螺合の緩み止めを形成し、升蓋正面に傾斜計量線と横計量線を記入する。
【発明の効果】
【００３６】
図に基づいて、本発明の効果を説明する。
柔軟性液体容器（１）図１−図７符号１−符号１３において、液体容器（１）口部に装着された升蓋（２）側部に液流穴（８）を設け、升蓋（２）側部の液流穴（８）に向い合う空流穴（１１）と空流溝（１０）を配設した事において、升蓋（２）が装着された液体容器（１）を横にして升蓋（２）内に液体を満たす事が出来る。
升蓋（２）側部に空流溝（１０）を設けた事において、横にした升蓋（２）底部が升蓋（２）上部より若干上がっていても升蓋（２）底に溜まる空気は空流溝（１０）を流れ空流穴（１１）に流入し空流穴（１１）を通過して液体容器（１）に流入出来て升蓋（２）底に空気が溜まらない。
【００３７】
升蓋（２）側部に平面部を設け、平面部に液返線（９）より扇状に記入された傾斜計量線（１２）と横計量線（１３）を交合わせて記入した事において、液体容器（１）を傾けて液体容器（１）内部の液体表面線を液体必要量の傾斜計量線（１２）に合せ液体を計量出来て、液体を計量後横計量線（１３）で確認出来る。
【００３８】
升蓋（２）側部の底より液排口（４）を設け、升蓋（２）側部に液排穴（５）と升蓋（２）上部に液排管（３）が配設されて液排管（３）先端にハンドル（６）を有す液流調整弁（７）が配設されている事において、ハンドル（６）を回して液流調整弁（７）を開け液体容器（１）を握る様に押して升蓋（２）内の計量された液体を液体使用箇所へ排出できる。
【００３９】
液体容器（１４）図８−図１３符号１４−符号２７において、液体容器（１４）口部に装着する蓋（１５）の側部を上に伸ばして、蓋（１５）側部内側に升（１６）を設けて、蓋（１５）側部の一部と升正面（１７）とを一体に成型して、升背面（１８）は升（１６）底中間部より液排口（１９）へと伸ばし升背面（１８）に傾斜を持たせ、升背面（１８）上部と蓋（１５）側部とを接合させる事において、升背面（１８）と升右側面（２１）と升左側面（２３）と、蓋（１５）側部内側との間に空間（２５）が生まれて、液体容器（１４）口部の空間と空間（２５）とは連がる。
【００４０】
升背面（１８）に傾斜を持たせて蓋（２０）を升背面（１８）上部に掛かる様に設けた事において、升（１６）内部の液体排出時に液体容器（１４）の傾きを少なく液体を排出できる。
液流口（２４）を升左側面（２３）上部に升正面（１７）左端から設け、空流口（２２）を升右側面（２１）上部に升正面（１７）右端から設けた事において、升（１６）内部の液体排出時に液体で満たされた液体容器（１４）を傾けた液体容器（１４）と空間（２５）内部の液体表面線が空流口（２２）と液流口（２４）より下の位置で升（１６）内部の液体を排出出来て、空間（２５）内の液体が升（１６）の内部に流入しないと共に液体容器（１４）を逆さに近い状態にするこことにおいて、体容器（１４）内の液体を計量なし液体使用箇所に排出できる。
【００４１】
升右側面（２１）上部に升正面（１７）右端から空流口（２２）を設けた事において、空間（２５）より升（１６）内部へ、また升（１６）内部より空間（２５）へ空気を流す事が出来る。
升左側面（２３）上部に升正面（１７）左端しから液流口（２４）を設けた事において、空間（２５）より升（１６）内部へ、また升（１６）内部より空間（２５）へ液体を流す事が出来る。
【００４２】
液体容器（１４）口部を右に寄せて液体容器（１４）を成型した事において液体容器（１４）内の少量の液体を升（１６）内部に流入出来て、更に少ない液体は液体容器（１４）をひっくり返して升（１６）上部と蓋（２０）に溜めてから液体容器（１４）を立てて升（１６）内部に流入出来る。  
【００４３】
液体容器（２８）図１４−図２２符号２８−符号４４では、升蓋（２９）側部に形成された液流穴（３２）上部に液流調整弁（３８）と空流穴（３３）上部に空流調整弁（３９）を配設して、液流調整弁（３８）と空流調整弁（３９）を移動するスプリング（４０）又はスプリング（４１）を配設してあることにおいて、升蓋（２９）上部に蓋（３０）を装着すると蓋（３０）内側の突起（３１）が液流調整弁（３８）と空流調整弁（３９）を押し下げて液流口（３４）と空流口（３５）は開き、液体容器（２８）を横にして升蓋（２９）内に液体を流入できると共に、升蓋（２９）上部より蓋（３０）を取り除くと液流調整弁（３８）と空流調整弁（３９）は上がり液流口（３４）と空流口（３５）は閉じて液体容器（２８）を傾けて升蓋（２９）内の液体を液排口（３６）より排出の際に液体容器内（２８）の液体が升蓋（２９）内に琉入しない。
【００４４】
液体容器（４５）図２３−図２８符号４５−符号６１では、液排口（５１）内に液空流調整弁（５３）の軸（５４）が貫通する軸受け（５５）を形成し、液空流調整弁（５３）と軸（５４）を液流穴（４７）と空流穴（４９）と軸受け（５５）を支店とし上下可動に配設したことにおいて、液排口（５１）以外からの液体の流出は限定される。
【００４５】
液体容器（６２）図２９−図３３符号６２−符号８３では升蓋（６３）側部上部の対向する面のそれぞれの面に横軸受けを設けその横軸受けと横軸受け間に上下に可動する液空流調整弁（７０）の上下の動きを拘束するための突起（７７）を有する横軸（７８）を上軸（７２）に形成された輪（７１）を通し装着し、横軸（７８）の両端に横軸（７８）を回転するためのハンドル（７９）を配設してあることにおいて、蓋（８０）を升蓋（６３）より外して液体容器内（６２）の液体を計量なしに排液口（６８）より直接排出できる。
【００４６】
液体容器（８４）図３４−図３９符号８４−１０３符号は、升蓋（８５）を柔軟性部材を使用し柔軟性升蓋（８５）にし、液空流調整弁（９４）端に突起Ａ（８７）に係止するフックＡ（９５）と突起Ｂ（９０）に係止するフックＢ（９６）形成したことにおいて、升蓋（８５）の正面を右手親指で背面を人さし指で押し、升蓋（８５）を変形すると共にて液流穴（８６）と空流穴（８９）の距離は広がり、突起Ｂ（９０）にフックＢ（９６）が係止され空流口（９１）は開かず、フックＡ（９５）は突起Ａ（８７）迄移動してから突起Ａ（８７）に係止し液流口（８８）を開くことができる。
【００４７】
液体容器（１０４）図４０−図４５符号１０４−１１９符号は、液流口（１０７）を塞ぐ液流口弁（１１３）と空流口（１０９）を塞ぐ空流口弁（１１４）と、液流口弁（１１３）と空流口弁（１１４）間に液流口弁（１１３）と空流口弁（１１４）をつなぐ横梁（１１５）を設けてあることにおいて、升蓋（１０５）の正面と背面を指で押し升蓋（１０５）を変形して液流穴（１０６）と空流穴（１０８）の間隔を開いて、液流口弁（１１３）と空流口弁（１１４）を上に移動させ液流口（１０７）と空流口（１０９）を開け、指を緩めて液流穴（１０６）と空流穴（１０８）の間隔を戻して液流口弁（１１３）と空流口弁（１１４）下げ液流口（１０７）と空流口（１０９）を閉めることができる。
【００４８】
覆い（１１１）に止梁（１１６）を形成してあることにおいて、升蓋（１０５）の正面と背面を指で押し升蓋（１０５）を変形する際に止梁（１１６）にあたる迄押すことができて指の力の調整はいらない。
【００４９】
液体容器（１２０）図４６−図５０符号１２０−１３５符号は、液流口（１２３）を塞ぐ液流口弁（１２９）と空流口（１２５）を塞ぐ空流口弁（１３０）と、液流口弁（１２９）と空流口弁（１３０）間に液流口弁（１２９）と空流口弁（１３０）をつなぐ横梁（１３１）を設けてあることにおいて、右手により升蓋（１２１）の右側面と左側面を指で押し升蓋（１２１）を変形して液流穴（１２２）と空流穴（１２４）の間隔を狭くして、液流口弁（１２９）と空流口弁（１３０）と横梁（１３１）を上に移動させ液流口（１２３）と空流口（１２５）を開け、指を緩めて液流穴（１２２）と空流穴（１２４）の間隔を戻して液流口弁（１２９）と空流口弁（１３０）と横梁（１３１）を下げ液流口（１２３）と空流口（１２５）を閉めることができる。
【００５０】
覆い（１２７）下部に突起（１３２）を形成してあることにおいて、升蓋（１２１）を変形する際に突起（１３２）にあたる迄押すことができて指の力の調整はいらない。
【図面の簡単な説明】
【００５１】
【図１】液体容器（１）と升蓋（２）の左側面図。
【図２】液体容器（１）と升蓋（２）の平面図、切断線Ａ−Ａ線を示す。
【図３】液体容器（１）上部と升蓋（２）の正面図、切断線Ｂ−Ｂ線とＣ−Ｃ線を示す。
【図４】図２のＡ−Ａ線切断部端面図。
【図５】図３のＢ−Ｂ線切断部端面図。
【図６】図３のＣ−Ｃ線切断部端面図。
【図７】升蓋（２）側部内面展開を示す図。
【図８】液体容器（１４）と蓋（１５）と蓋（２０）正面図、切断線Ｄ−Ｄ線を示す。
【図９】液体容器（１４）と蓋（１５）と蓋（２０）の平面図、切断線Ｅ−Ｅ線を示す。
【図１０】図９のＥ−Ｅ線切断部端面図。
【図１１】図８のＤ−Ｄ線切断部端面図。
【図１２】升（１６）側部内面展開を示す図。
【図１３】蓋（１５）の正面図、升正面（１７）の傾斜計量線（２６）と横計量線（２７）を示す。
【図１４】液体容器（２８）と升蓋（２９）の正面図、切断線Ｆ−Ｆ線を示す。
【図１５】液体容器（２８）と升蓋（２９）蓋（３０）の平面図、切断線Ｇ−Ｇ線を示す。
【図１６】、液流調整弁（３８）と空流調整弁（３９）の斜視図。
【図１７】図１５のＧ−Ｇ線切断部端面図、蓋（３０）を装着している。
【図１８】図１５のＧ−Ｇ線切断部端面図、蓋（３０）を外してある。
【図１９】図１４のＦ−Ｆ線切断部端面図。
【図２０】スプリング（４０）の平面図。
【図２１】スプリング（４０）の正面図。
【図２２】図１５のＧ−Ｇ線切断部端面図、スプリング（４１）を使用している。
【図２３】液体容器（４５）と升蓋（４６）の正面図、切断線Ｈ−Ｈ線を示す。
【図２４】液体容器（４５）と升蓋（４６）と蓋（５８）の平面図、切断線Ｊ−Ｊ線を示す。
【図２５】図２４のＪ−Ｊ線切断部端面図、蓋（５８）を装着してある。
【図２６】図２４のＪ−Ｊ線切断部端面図、蓋（５８）を外してある。
【図２７】図２３のＨ−Ｈ線切断部端面図。
【図２８】覆い（５２）と軸受け（５５）の平面図。
【図２９】液体容器（６２）と升蓋（６３）の正面図。
【図３０】液体容器（６２）と蓋（８０）の平面図、切断線Ｋ−Ｋ線を示す
【図３１】図３０のＫ−Ｋ線切断部端面図。
【図３２】液体容器（６２）と蓋（８０）の平面図、切断線Ｌ−Ｌ線を示す。
【図３３】図３２のＬ−Ｌ線切断部端面図。
【図３４】液体容器（８４）と升蓋（８５）の正面図、切断線Ｍ−Ｍ線を示す。
【図３５】液体容器（８４）と升蓋（８５）と蓋（１００）の平面図、切断線Ｎ−Ｎ線を示す。
【図３６】図３５のＮ−Ｎ線切断部端面図、蓋（１００）を装着してある。
【図３７】図３５のＮ−Ｎ線切断部端面図、蓋（１００）を外してある。
【図３８】図３４のＭ−Ｍ線切断部端面図。
【図３９】覆い（９３）の平面図。
【図４０】液体容器（１０４）と升蓋（１０５）の正面図。
【図４１】液体容器（１０４）と升蓋（１０５）と蓋（１１２）の平面図、左右側面間の切断線Ｐ−Ｐ線を示す。
【図４２】図４１のＰ−Ｐ線切断部端面図。
【図４３】液体容器（１０４）と升蓋（１０５）と蓋（１１２）の平面図、正面と背面間の切断線Ｑ−Ｑ線を示す。
【図４４】図４３のＱ−Ｑ線切断部端面図。
【図４５】升蓋（１０５）の平面図、升蓋（１０５）の正面と背面を押して升蓋（１０５）を変形してある。
【図４６】液体容器（１２０）と升蓋（１２１）の正面図。
【図４７】液体容器（１２０）と升蓋（１２１）と蓋（１２８）の平面図、切断線Ｒ−Ｒ線を示す。
【図４８】図４７のＲ−Ｒ線切断部端面図。
【図４９】図４７の升蓋（１２１）のみのＲ−Ｒ線切断部端面図、升蓋（１２１）の右側面と左側面を押して升蓋（１２１）を変形している。
【図５０】升蓋（１２１）の平面図、升蓋（１２１）の右側面と左側面を押して升蓋（１２１）を変形している。
【発明を実施するための形態】
【００５２】
以下図面に基づき説明する。
柔軟性液体容器（１）図１−図７符号１−符号１３において、柔軟性液体容器（１）口部に装着する蓋側部を上に伸ばし更に蓋側部上を覆って蓋上に空間を形成して、蓋と蓋上の空間とで升蓋（２）とし升蓋（２）を透明樹脂で成型する。
【００５３】
升蓋（２）上部から横へと伸びる液排管（３）を配設し、升蓋（２）底に液排口（４）を設け液排口（４）から排液管（３）に続く液排穴（５）を形成して、液排管（３）先端にハンドル（６）を有し止め文字と止め線が記入された液流調整弁（７）を装着する。
升蓋（２）側部に升蓋（２）上部より升蓋（２）底面まで伸びて液体容器（１）内へ続く液流穴（８）を液排穴（５）の左右に設けて、液流穴（８）上部を返液線（９）と定める。
【００５４】
升蓋（２）側部に升蓋（２）上部より升蓋（２）底間に空流溝（１０）を設け、升蓋（２）側部に升蓋（２）上部より升蓋（２）底面迄伸びて液体容器（１）内へと貫通する空流穴（１１）を空流溝（１０）左右に設ける、液排穴（５）と液流穴（８）に対して空流溝（１０）と空流穴（１１）は升蓋（２）正面から見て向かう左右に配設する。
升蓋（２）側部に平面２面を対面状に設け、返液線（９）より扇状に伸びる複数本の傾斜計量線（１２）と複数本の横計量線（１３）を記入して、同量液体量の傾斜計量線（１２）と横計量線（１３）を交合わせる。
【００５５】
柔軟性液体容器（１）の使用方法は、液体容器（１）口部に装着された升蓋（２）側部から横に伸びる液排管（３）先端に装着された液流調整弁（７）が止めの位置であるか確認し、液体容器（１）口部に升蓋（２）が装着された液体容器（１）を液流調整弁（７）方向に傾けて升蓋（２）を液体容器（１）の横にする。
升蓋（２）を液体容器（１）の横にすると液体容器（１）内の液体は液流穴（８）と返液線（９）を通過して下から升蓋（２）内部に流入すると共に升蓋（２）内部の空気は空流溝（１０）と空流穴（１１）を通過して液体容器（１）内部に流入する。
【００５６】
升蓋（２）内部に流入した液体が液体必要量以上は入ったか目安をつけて液体容器（１）と升蓋（２）を立てる。
升蓋（２）と液体容器（１）を液流調整弁（７）方向に再度傾け、升蓋（２）側部に設けた平面部に記入された返液線（９）より扇状に伸びる傾斜計量線（１２）の必要量線に液体表面線を合わせると共に、升蓋（２）内部の必要以上の液体は返液線（９）より液流穴（８）に流入して液流穴（８）を通過して液体容器（１）内部に流入すると共に、液体容器（１）内部の空気は液流穴（８）と空流穴（１１）の両者から升蓋（２）内部に流入し液体必要量が計量される。
【００５７】
液体必要量が計量出来た時点で液体容器（１）と升蓋（２）を立てなおすと横計量線（１３）により再度液体必要量が確認出来て、ハンドル（６）を回して液流調整弁（７）を開けて液体容器（１）を握る様に押すと共に液体容器（１）内部の空気は、空流穴（１１）と液流穴（８）の両者から升蓋（２）内部の液体上に流入し液体を上から圧迫して、升蓋（２）内部の液体は液排口（４）より液排穴（５）に流入し、液排穴（５）と液流調整弁（７）を通過して液体使用箇所に排出できる。
【００５８】
液体容器（１４）図８−図１３符号１４−符号２７は、液体容器（１４）口部に装着する蓋（１５）側部を上に伸ばし更に蓋（１５）側部の上を覆いで覆って、蓋（１５）側部の内側に升（１６）を形成し蓋（１５）と升（１６）で升蓋として、升蓋上部に液排口（１９）を形成し蓋（１５）側部の一部と升正面（１７）とを一体に成型して、升背面（１８）は升（１６）底中間部より液排口（１９）へと伸ばし、升背面（１８）上部と蓋（１５）側部とを接合させ升背面（１８）に傾斜を持たせて、升（１６）側部と蓋（１５）側部とにより升（１６）側部と蓋（１５）側部との間に空間（２５）を形成する。
【００５９】
液排口（１９）は升（１６）上部の左に寄せて設け液排口（１９）に蓋（２０）を装着し液排口（１９）を蓋（２０）で塞いで、升右側面（２１）上部に升正面（１７）上部の右端から空流口（２２）を設け、升左側面（２３）上部に升正面（１７）上部の左端から液流口（２４）を設けて、升正面（１７）に液流口（２４）下部より扇状に伸びた傾斜計量線（２６）と横計量線（２７）を交合わせて記入して、液体容器（１４）口部は左に寄せて成型する。
【００６０】
液体容器（１４）の使用方法は、液体容器（１４）内の液体を液体使用箇所への排出は、液体容器（１４）正面を手前に向けて右手で掴んで液体容器（１４）を左横に傾けると、液体容器（１４）内部の液体は蓋（１５）側部と升（１６）側部との空間（２５）へ流入し、空間（２５）から升左側面（２３）上部の液流口（２４）を通過して升（１６）内部へ流入すると共に、升（１６）内部の空気は升右側面（２１）上部の空流口（２２）を通過して空間（２５）に流入し空間（２５）から液体容器（１４）内部へ流入する。
【００６１】
升（１６）内部に液体使用量より液体が若干多く入った時点で液体容器（１４）を立て液体量を横計量線（２７）で確認して、必要以上多く入った液体は再度液体容器（１４）を左に傾けて升正面（１７）に記入された液体必要量の傾斜計量線（２６）に液体表面線を合わせて、液流口（２４）から空間（２５）へ余分に入った液体を流しこみ液体容器（１４）内部へ戻してから液体容器（１４）を立てる。
【００６２】
計量された升（１６）内部の液体を液体使用箇所への排出は、傾斜した升背面（１８）上部の液排口（１９）より蓋（２０）を取り外して液体容器（１４）を升背面（１８）方向に傾けて、升（１６）内部の計量された液体を液体必要箇所へ排出する。
【００６３】
液体容器（２８）図１４−図２２符号２８−符号４４は、液体容器（２８）口部に装着する蓋側部を上に伸ばし升蓋（２９）として、升蓋（２９）側部上を蓋（３０）内側に突起（３１）が形成された蓋（３０）で覆い、升蓋（２９）側部に液流穴（３２）と空流穴（３３）を形成して、液流穴（３２）上部に液流口（３４）を設け液流穴（３２）下部は升蓋（２９）底面まで伸ばし、空流穴（３３）上部に空流口（３５）を設け空流穴（３３）下部は升蓋（２９）底面迄伸ばして、液流穴（３２）と空流穴（３３）の上部と、蓋（３０）の間に液排口（３６）を有する覆い（３７）を配設する。
【００６４】
液流穴（３２）上部に液流調整弁（３８）と空流穴（３３）上部に空流調整弁（３９）を装着して、液流穴（３２）と空流穴（３３）上に液流調整弁（３８）と空流調整弁（３９）を引き上げる弾性部材であるスプリング（４０）を配設する、又は液流調整弁（３８）と空流調整弁（３９）下に液流調整弁（３８）と空流調整弁（３９）を押し上げる弾性部材であるスプリング（４１）を配設して、升蓋（２９）側部の下部に液体容器（２８）口部と升蓋（２９）下部との螺合の緩み止（４４）を形成し、升蓋（２９）側面に傾斜計量線（４２）と横計量線（４３）を記入する。
【００６５】
液体容器（２８）使用方法は、升蓋（２９）に蓋（３０）が装着されている状態では、蓋（３０）内側の突起（３１）により液流調整弁（３８）と空流調整弁（３９）は押し下げられて液流口（３４）と空流口（３５）は開いて、升蓋（２９）内に液体使用量を計量するために液体容器（２８）と升蓋（２９）を液流穴（３２）方向傾けると、液体容器（２８）内の液体は液流穴（３２）に流入し液流口（３４）を通過して升蓋（２９）内に流入すると共に升蓋（２９）内の空気は、空流口（３５）と空流穴（３３）を通過して液体容器（２８）内に流入する。
【００６６】
液体必要量が升蓋（２９）に記入された液体必要量傾斜計量線（４２）に迄液体が入った時点で液体容器（２８）を立て横計量線（４３）で確認して、液体が多く入った場合は再度液体容器（２８）を液流穴（３２）方向に傾け多い量の液体を液流口（３４）と液流穴（３２）を通過させ液体容器（２８）に戻し液体必要を確保する。
【００６７】
升蓋（２９）内に確保された必要量液体の液体使用箇所への排出は、升蓋（２９）より蓋（３０）を取り除くと蓋（３０）内側の突起（３１）が液流調整弁（３８）と空流調整弁（３９）の上から外れて液流調整弁（３８）と空流調整弁（３９）はスプリング（４０）又はスプリング（４１）により上に移動して液流口（３４）と空流口（３５）は閉じられて、液体容器（２８）を傾け升蓋（２９）内の液体を覆い（３７）に形成された液排口（３６）より液体使用箇所に排出する。
液体容器（２８）内への液体の補充は、升蓋（２９）側部の下部を親指と人指し指で押して緩み止（４４）の係合を解いて升蓋（２９）を回して外す。
【００６８】
液体容器（４５）図２３−図２８符号４５−符号６１は、液体容器（４５）口部に装着する升蓋（４６）側部に液流穴（４７）を形成し液流穴（４７）上部に液流口（４８）を設け液流穴（４７）下部は液体容器（４５）口部に続き、升蓋（４６）側部の液流穴（４７）に向う升蓋（４６）側部に空流穴（４９）を形成し空流穴（４９）上部に空流口（５０）を設け空流穴（４９）下部は液体容器（４５）口部に続く。
【００６９】
升蓋（４６）上部内側に液排口（５１）を有する覆い（５２）を装着し、液流口（４８）と空流口（５０）を同時に開閉するための液空流調整弁（５３）を液流穴（４７）と空流穴（４９）間に配設し、液空流調整弁（５３）に液空流調整弁（５３）の中央より上に伸びる軸（５４）を設け、液排口（５１）内に軸（５４）が貫通する軸受け（５５）を形成し、軸（５４）を有する液空流調整弁（５３）を液流口（４８）と空流口（５０）と軸受け（５５）を支店とし上下可動に配設する。
【００７０】
液空流調整弁（５３）軸（５４）上部に弾性部材であるスプリング（５６）とスプリング（５６）を留める留具であるナット（５７）を装着し、液空流調整弁（５３）軸（５４）を押し下げ液排口（５１）を塞ぐ蓋（５８）を升蓋（４６）上部に装着して、液体容器（４５）口部と升蓋（４６）下部との螺合の緩み止め（５９）を形成し、升蓋（４６）正面に傾斜計量線（６０）と横計量線（６１）を記入する。
【００７１】
液体容器（４５）の使用方法は、必要量の液体を計量するために升蓋（４６）と蓋（５８）との螺合を確認し液体容器（４５）を液流穴（４７）方向に傾けることにより液体容器（４５）内の液体は液流穴（４７）下部より液流穴（４７）に流入し液流口（４８）を通過して升蓋（４６）内に流入すると共に升蓋（４６）内の空気は、空流口（５０）と空流穴（４９）を通過して液体容器（４５）口部に流入して、必要量の液体表面と傾斜計量線（６０）と交わせてから横計量線（６１）で確認し余分に入った液体は再度液体容器（４５）を液流穴（４７）方向に傾け液流口（４８）から液流穴（４７）に流入させ液体容器（４５）に戻す。
【００７２】
升蓋（４６）より蓋（５８）を外すことによりスプリング（５６）によりナット（５７）と液空流調整弁（５３）と軸（５４）が上ると共に液流口（４８）と空流口（５０）は液空流調整弁（５３）により閉まって、液体容器（４５）を傾けて升蓋（４６）内の計量された液体を液体使用箇所に排出する。
【００７３】
請求項５に対応する液体容器（６２）図２９−図３３符号６２−符号８３は、液体容器（６２）口部に装着する升蓋（６３）側部に液流穴（６４）を形成し液流穴（６４）上部に液流口（６５）を設けて、升蓋（６３）側部の液流穴（６４）に向かう升蓋（６３）側部に空流穴（６６）を形成し空流穴（６６）上部に空流口（６７）を設ける。
【００７４】
升蓋（６３）上部内側に液排口（６８）を有する覆い（６９）を装着し、上下に可動し液流口（６５）と空流口（６７）を開閉するための液空流調整弁（７０）を液流穴（６４）と空流穴（６６）間に設け、液空流調整弁（７０）に液空流調整弁（７０）から上伸び輪（７１）が形成された上軸（７２）と下に伸びる下軸（７３）を形成して、液排口（６８）内に液空流調整弁（７０）の上軸（７２）が貫通する上軸受け（７４）を形成し、升蓋（６３）底に升蓋（６３）底から上に伸びる下軸（７３）が挿入される下軸受け（７５）を形成して、下軸受け（７５）と液空流調整弁（７０）間に弾性部材のスプリング（７６）を装着する。
【００７５】
升蓋（６３）側部上部に対向する面のそれぞれの面に横軸受けを設けその横軸受けと横軸受け間に、上下に可動する液空流調整弁（７０）の上下の動きを拘束するための突起（７７）を有する横軸（７８）を上軸（７２）に形成された輪（７１）に通し回転自在に装着し、横軸（７８）の両端に横軸（７８）を回転するためのハンドル（７９）を配設する。
【００７６】
液排口（６８）を塞ぐと共に液空流調整弁（７０）の上軸（７２）を押し下げる蓋（８０）を升蓋（６３）上部に装着し、升蓋（６３）正面に傾斜計量線（８１）と横計量線（８２）を記入し、液体容器（６２）口部と升蓋（６３）下部に液体容器（６２）口部と升蓋（６３）下部の螺合の緩み止（８３）を形成する
【００７７】
液体容器（６２）の使用方法は、液体容器（６２）内の液体を計量なしに液体使用箇所に排出する場合、液流口（６５）と空流口（６７）を開いた状態のままにするためにハンドル（７９）回し横軸（７８）に形成された突起（７７）を下向きにして液空流調整弁（７０）の上下運動を止め、蓋（８０）を外し液体容器（６２）を傾けることにより、液体容器（６２）内の液体は液流穴（６４）と液流口（６５）を通過して液排口（６８）より液体使用箇所に排出する。
【００７８】
液体容器（８４）図３４−図３９符号８４−１０３符号は、液体容器（８４）口部に装着する柔軟性升蓋（８５）側部に液流穴（８６）と突起Ａ（８７）を形成し液流穴（８６）上部に液流口（８８）を設け液流穴（８６）下部は液体容器（８４）口部に続き、升蓋（８５）側部の液流穴（８６）に向う升蓋（８５）側部に空流穴（８９）と突起Ｂ（９０）を形成し空流穴（８９）上部に空流口（９１）を設け空流穴（８９）下部は液体容器（８４）口部に続く。
【００７９】
升蓋（８５）上部に液排口（９２）を有する覆い（９３）を装着し、液流口（８８）と空流口（９１）を同時に開閉するための液空流調整弁（９４）を液流穴（８６）と空流穴（８９）間に配設し、液空流調整弁（９４）端に突起Ａ（８７）に係止するフックＡ（９５）と突起Ｂ（９０）に係止するフックＢ（９６）形成し、液空流調整弁（９４）に液空流調整弁（９４）の中央より上に伸びる軸（９７）と軸（９７）に葉バネ（９８）を形成し、液排口（９２）内に軸（９７）が貫通する軸受け（９９）を設け、葉バネ（９８）を液流穴（８６）と空流穴（８９）上に掛け軸（９７）を有する液空流調整弁（９４）を液流口（８８）と空流口（９１）と軸受け（９９）を支店とし上下可動に配設する。
【００８０】
液空流調整弁（９４）と軸（９７）を押し下げ液排口（９２）を塞ぐ蓋（１００）を覆い（９３）上部に装着して、液体容器（８４）口部と升蓋（８５）下部との螺合の緩み止め（１０１）を形成し、升蓋（８５）正面に傾斜計量線（１０２）と横計量線（１０３）を記入する。
【００８１】
液体容器（８４）の使用方法は、必要量の液体を計量するために升蓋（８５）と蓋（１００）との螺合を確認し液体容器（８４）を液流穴（８６）方向に傾けることにより液体容器（８４）内の液体は液流穴（８６）下部より液流穴（８６）に流入し液流口（８８）を通過して升蓋（８５）内に流入すると共に升蓋（８５）内の空気は、空流口（９１）と空流穴（８９）を通過して液体容器（８４）口部に流入して、必要量の液体表面と傾斜計量線（１０２）と交わせてから横計量線（１０３）で確認し余分に入った液体は再度液体容器（８４）を液流穴（８６）方向に傾け液流口（８８）から液流穴（８６）に流入させ液体容器（８４）に戻す。
【００８２】
升蓋（８５）内に計量された液体の液体必要箇所への排出は、升蓋（８５）より蓋（１００）を外すことにより葉バネ（９８）により液空流調整弁（９４）と軸（９７）が上ると共に液流口（８８）と空流口（９１）は液空流調整弁（９４）により閉まって、液体容器（８４）を傾けて升蓋（８５）内の計量された液体を液排口（９２）より液体使用箇所に排出する。
【００８３】
液体容器（８４）内の液体を計量せずに液体必要箇所への排出は、覆い（９３）より蓋（１００）を外すことにより葉バネ（９８）により液空流調整弁（９４）と軸（９７）が上ると共に液流口（８８）と空流口（９１）は液空流調整弁（９４）により閉まって、升蓋（８５）の正面を右手親指で背面を人さし指で押し、升蓋（８５）を変形すると共に液流穴（８６）と空流穴（８９）の距離は広がり、突起Ｂ（９０）にフックＢ（９６）が係止され空流口（９１）は開かず、フックＡ（９５）は突起Ａ（８７）迄移動してから突起Ａ（８７）に係止し液流口（８８）は開く。
【００８４】
液体容器（８４）を傾けると共に液体容器（８４）内の液体は液流穴（８６）下部より液流穴（８６）に流入し液流口（８８）を通過して升蓋（８５）内に流入し液排口（９２）より液体使用箇所に排出する。
【００８５】
液体容器（１０４）図４０−図４５符号１０４−１１９符号は、液体容器（１０４）口部に装着する弾力性に富んだ柔軟性升蓋（１０５）側部に液流穴（１０６）と液流穴（１０６）上部に液流口（１０７）を設け液流穴（１０６）下部は液体容器（１０４）口部に続き、升蓋（１０５）側部の液流穴（１０６）に向う升蓋（１０５）側部に空流穴（１０８）と空流穴（１０８）上部に空流口（１０９）を設け空流穴（１０８）下部は液体容器（１０４）口部に続き、升蓋（１０５）上部に液排口（１１０）を有する覆い（１１１）を設け覆い（１１１）に蓋（１１２）を装着して液排口（１１０）を塞ぐ。
【００８６】
液流口（１０７）を塞ぐ液流口弁（１１３）と空流口（１０９）を塞ぐ空流口弁（１１４）と、液流口弁（１１３）と空流口弁（１１４）間に液流口弁（１１３）と空流口弁（１１４）をつなぐ横梁（１１５）を設け、覆い（１１１）に液排口（１１０）から下にさがり横梁（１１５）をまたいでいて、升蓋（１０５）正面と升蓋（１０５）背面を押して、押し過ぎ防止の止梁（１１６）を形成する。
【００８７】
横梁（１１５）と、液流口弁（１１３）と空流口弁（１１４）の接合部は、升蓋（１０５）側部と、液流口弁（１１３）と空流口弁（１１４）の接合部より下に形成する。
【００８８】
液体容器（１０４）口部と升蓋（１０５）下部との螺合の緩み止め（１１７）を形成し、升蓋（１０５）正面に傾斜計量線（１１８）と横計量線（１１９）を記入する。
【００８９】
液体容器（１０４）の使用方法は、必要量の液体を計量するために覆い（１１１）と蓋（１１２）との螺合を確認し升蓋（１０５）の正面を右手親指で背面を人さし指で押し升蓋（１０５）を変形すると共に液流穴（１０６）と空流穴（１０８）の間隔は開いて、液流口弁（１１３）と空流口弁（１１４）と横梁（１１５）は横一線状態に成ろうとなり液流口（１０７）と空流口（１０９）は開く。
【００９０】
変形された升蓋（１０５）の正面側部と背面側部は、液流口弁（１１３）と空流口弁（１１４）と横梁（１１５）が横一線状態に成る前に止梁（１１６）にあたりとまる。
【００９１】
液体容器（１０４）を液流穴（１０６）方向に傾けることにより液体容器（１０４）内の液体は液流穴（１０６）下部より液流穴（１０６）に流入し液流口（１０７）を通過して升蓋（１０５）内に流入すると共に升蓋（１０５）内の空気は、空流口（１０９）と空流穴（１０８）を通過して液体容器（１０４）口部に流入する。
【００９２】
必要量の液体表面と傾斜計量線（１１８）と交わせてから横計量線（１１９）で確認し、余分に入った液体は再度液体容器（１０４）を液流穴（１０６）方向に再度傾け液流口（１０７）から液流穴（１０６）に流入させ液体容器（１０４）に戻し計量できる。
【００９３】
升蓋（１０５）内に計量された液体の液体必要箇所への排出は、升蓋（１０５）の変形をもどすと液流口（１０７）と空流口（１０９）は液流口弁（１１３）と空流口弁（１１４）により閉じて、覆い（１１１）より蓋（１１２）を外し、液体容器（１０４）を傾けて升蓋（１０５）内の計量された液体を液排口（１１０）より液体使用箇所に排出する。
【００９４】
液体容器（１２０）図４６−図５０符号１２０−１３５符号は、液体容器（１２０）口部に装着する弾力性に富んだ柔軟性升蓋（１２１）側部に液流穴（１２２）と液流穴（１２２）上部に液流口（１２３）を設け液流穴（１２２）下部は液体容器（１２０）口部に続き、升蓋（１２１）側部の液流穴（１２２）に向う升蓋（１２１）側部に空流穴（１２４）と空流穴（１２４）上部に空流口（１２５）を設け空流穴（１２４）下部は液体容器（１２０）口部に続き、升蓋（１２１）上部に液排口（１２６）を有する覆い（１２７）を設け覆い（１２７）に蓋（１２８）を装着して液排口（１２６）を塞ぐ。
【００９５】
液流口（１２３）を塞ぐ液流口弁（１２９）と空流口（１２５）を塞ぐ空流口弁（１３０）と、液流口弁（１２９）と空流口弁（１３０）間に液流口弁（１２９）と空流口弁（１３０）をつなぐ横梁（１３１）を設け、覆い（１２７）下部に升蓋（１２１）右側面と升蓋（１２１）左側面を押して、押し過ぎ防止の突起（１３２）を形成する。
【００９６】
横梁（１３１）と、液流口弁（１２９）と空流口弁（１３０）の接合部は、升蓋（１２１）側部と、液流口弁（１２９）と空流口弁（１３０）の接合部より上に形成する。
【００９７】
液体容器（１２０）口部と升蓋（１２１）下部との螺合の緩み止め（１３３）を形成し、升蓋（１２１）正面に傾斜計量線（１３４）と横計量線（１３５）を記入する。
螺合の緩み止め（１３３）は、液体容器（１２０）口部に連立突起を形成し、升蓋（１２１）下部をスカート形状にすると共に連立突起に係止するフックを設ける、又は液体容器（１２０）口部に連立突起を形成し、升蓋下部に連立突起に係止するフックとフックを操作するハンドルを形成する。
【００９８】
液体容器（１２０）の使用方法は、必要量の液体を計量するために覆い（１２７）と蓋（１２８）との螺合を確認し右手で升蓋（１２１）の左側面を親指で右側面を人さし指で押し升蓋（１２１）を変形すると共に液流穴（１２２）と空流穴（１２４）の間隔は狭まり、液流口弁（１２９）と空流口弁（１３０）と横梁（１３１）は上り液流口（１２３）と空流口（１２５）は開く。
【００９９】
変形された升蓋（１２１）の左右の側部は、液流口弁（１２９）と空流口弁（１３０）と横梁（１３１）が横一線状態に成る前に突起（１３２）にあたりとまる。
【０１００】
液体容器（１２０）を液流穴（１２２）方向に傾けることにより液体容器（１２０）内の液体は液流穴（１２２）下部より液流穴（１２２）に流入し液流口（１２３）を通過して升蓋（１２１）内に流入すると共に升蓋（１２１）内の空気は、空流口（１２５）と空流穴（１２４）を通過して液体容器（１２０）口部に流入する。
【０１０１】
必要量の液体表面と傾斜計量線（１３４）と交わせてから横計量線（１３５）で確認し、余分に入った液体は再度液体容器（１２０）を液流穴（１２２）方向に再度傾け液流口（１２３）から液流穴（１２２）に流入させ液体容器（１２０）に戻し計量できる。
【０１０２】
升蓋（１２１）内に計量された液体の液体必要箇所への排出は、升蓋（１２１）の変形をもどすと共に横梁（１３１）は下がり液流口（１２３）と空流口（１２５）は液流口弁（１２９）と空流口弁（１３０）により閉じて、覆い（１２７）より蓋（１２８）を外し液体容器（１２０）を傾けて升蓋（１２１）内の計量された液体を液排口（１２６）より液体使用箇所に排出する。
【０１０３】
液体容器（１２０）内への液体の補充は、スカート形状の升蓋下部を指で押し、升蓋（１２１）下部を変形して連立突起とフックの係合を解いてから液体容器（１２０）より升蓋（１２１）を外して液体容器（１２０）口部より液体を補充する、又は升蓋（１２１）下部にフックとフックを操作するハンドルが形成されている場合は、ハンドルを操作し連立突起とフックの係合を解いてから液体容器（１２０）より升蓋（１２１）を外して液体容器（１２０）口部より液体を補充する。
【産業上の利用可能性】
【０１０４】
一般家庭において使用する洗濯洗剤や柔軟剤や口腔洗剤、手に付いて好ましくない液体で液体量を計量して使用する殺虫剤、蓋を開けて使用し外部の空気が容器内は入り酸化を嫌う液体容器、に使用出来る。
【符号の説明】
【０１０５】
１  液体容器
２  升蓋
３  液排管
４  液排口
５  液排穴
６  ハンドル
７  液流調整弁
８  液流穴
９  液返線
１０  空流溝
１１  空流穴
１２  傾斜計量線
１３  横計量線
１４  液体容器
１５  蓋
１６  升
１７  升正面
１８  升背面
１９  液排口
２０  蓋
２１  升右側面
２２  空流口
２３  升左側面
２４  液流口
２５  空間
２６  傾斜計量線
２７  横計量線
２８  液体容器
２９  升蓋
３０  蓋
３１  突起
３２  液流穴
３３  空流穴
３４  液流口
３５  空流口
３６  液排口
３７  覆い
３８  液流調整弁
３９  空流調整弁
４０  スプリング
４１  スプリング
４２  傾斜計量線
４３  横計量線
４４  緩み止
４５  液体容器
４６  升蓋
４７  液流穴
４８  液流口
４９  空流穴
５０  空流口
５１  液排口
５２  覆い
５３  液空流調整弁
５４  軸
５５  軸受け
５６  スプリング
５７  ナット
５８  蓋
５９  緩み止め
６０  傾斜計量線
６１  横計量線
６２  液体容器
６３  升蓋
６４  液流穴
６５  液流口
６６  空流穴
６７  空流口
６８  液排口
６９  覆い
７０  液空流調整弁
７１  輪
７２  上軸
７３  下軸
７４  上軸受け
７５  下軸受け
７６  スプリング
７７  突起
７８  横軸
７９  ハンドル
８０  蓋
８１  傾斜計量線
８２  横計量線
８３  緩み止
８４  液体容器
８５  升蓋
８６  液流穴
８７  突起Ａ
８８  液流口
８９  空流穴
９０  突起Ｂ
９１  空流口
９２  液排口
９３  覆い
９４  液空流調整弁
９５  フックＡ
９６  フックＢ
９７  軸
９８  葉バネ
９９  軸受け
１００  蓋
１０１  緩み止め
１０２  傾斜計量線
１０３  横計量線
１０４  液体容器
１０５  升蓋
１０６  液流穴
１０７  液流口
１０８  空流穴
１０９  空流口
１１０  液排口
１１１  覆い
１１２  蓋
１１３  液流口弁
１１４  空流口弁
１１５  横梁
１１６  止梁
１１７  緩み止め
１１８  傾斜計量線
１１９  横計量線
１２０  液体容器
１２１  升蓋
１２２  液流穴
１２３  液流口
１２４  空流穴
１２５  空流口
１２６  液排口
１２７  覆い
１２８  蓋
１２９  液流口弁
１３０  空流口弁
１３１  横梁
１３２  突起
１３３  緩み止め
１３４  傾斜計量線
１３５  横計量線
【図１】
2014015213.tif 000003
【図２】
2014015213.tif 000004
【図３】
2014015213.tif 000005
【図４】
2014015213.tif 000006
【図５】
2014015213.tif 000007
【図６】
2014015213.tif 000008
【図７】
2014015213.tif 000009
【図８】
2014015213.tif 000010
【図９】
2014015213.tif 000011
【図１０】
2014015213.tif 000012
【図１１】
2014015213.tif 000013
【図１２】
2014015213.tif 000014
【図１３】
2014015213.tif 000015
【図１４】
2014015213.tif 000016
【図１５】
2014015213.tif 000017
【図１６】
2014015213.tif 000018
【図１７】
2014015213.tif 000019
【図１８】
2014015213.tif 000020
【図１９】
2014015213.tif 000021
【図２０】
2014015213.tif 000022
【図２１】
2014015213.tif 000023
【図２２】
2014015213.tif 000024
【図２３】
2014015213.tif 000025
【図２４】
2014015213.tif 000026
【図２５】
2014015213.tif 000027
【図２６】
2014015213.tif 000028
【図２７】
2014015213.tif 000029
【図２８】
2014015213.tif 000030
【図２９】
2014015213.tif 000031
【図３０】
2014015213.tif 000032
【図３１】
2014015213.tif 000033
【図３２】
2014015213.tif 000034
【図３３】
2014015213.tif 000035
【図３４】
2014015213.tif 000036
【図３５】
2014015213.tif 000037
【図３６】
2014015213.tif 000038
【図３７】
2014015213.tif 000039
【図３８】
2014015213.tif 000040
【図３９】
2014015213.tif 000041
【図４０】
2014015213.tif 000042
【図４１】
2014015213.tif 000043
【図４２】
2014015213.tif 000044
【図４３】
2014015213.tif 000045
【図４４】
2014015213.tif 000046
【図４５】
2014015213.tif 000047
【図４６】
2014015213.tif 000048
【図４７】
2014015213.tif 000049
【図４８】
2014015213.tif 000050
【図４９】
2014015213.tif 000051
【図５０】
2014015213.tif 000052
【手続補正書】
【提出日】平成24年7月18日(2012.7.18)
【手続補正１】
【補正対象書類名】図面
【補正対象項目名】図１７
【補正方法】変更
【補正の内容】
【図１７】
2014015213.tif 000053
【手続補正２】
【補正対象書類名】図面
【補正対象項目名】図１８
【補正方法】変更
【補正の内容】
【図１８】
2014015213.tif 000054
【手続補正３】
【補正対象書類名】図面
【補正対象項目名】図１９
【補正方法】変更
【補正の内容】
【図１９】
2014015213.tif 000055
【手続補正４】
【補正対象書類名】図面
【補正対象項目名】図２２
【補正方法】変更
【補正の内容】
【図２２】
2014015213.tif 000056
【手続補正５】
【補正対象書類名】図面
【補正対象項目名】図２５
【補正方法】変更
【補正の内容】
【図２５】
2014015213.tif 000057
【手続補正６】
【補正対象書類名】図面
【補正対象項目名】図２６
【補正方法】変更
【補正の内容】
【図２６】
2014015213.tif 000058
【手続補正７】
【補正対象書類名】図面
【補正対象項目名】図２７
【補正方法】変更
【補正の内容】
【図２７】
2014015213.tif 000059
【手続補正８】
【補正対象書類名】図面
【補正対象項目名】図３１
【補正方法】変更
【補正の内容】
【図３１】
2014015213.tif 000060
【手続補正書】
【提出日】平成24年8月20日(2012.8.20)
【手続補正１】
【補正対象書類名】明細書
【補正対象項目名】００９９
【補正方法】変更
【補正の内容】
【００９９】
横梁（１３１）は、液流口弁（１２９）と空流口弁（１３０）と横梁（１３１）が横一線状態に成る前に突起（１３２）にあたり止る。
【手続補正２】
【補正対象書類名】図面
【補正対象項目名】図３９
【補正方法】変更
【補正の内容】
【図３９】
2014015213.tif 000061
【手続補正３】
【補正対象書類名】図面
【補正対象項目名】図４８
【補正方法】変更
【補正の内容】
【図４８】
2014015213.tif 000062
【手続補正書】
【提出日】平成25年2月27日(2013.2.27)
【手続補正１】
【補正対象書類名】特許請求の範囲
【補正対象項目名】請求項１
【補正方法】変更
【補正の内容】
【請求項１】
液体容器口部に装着する蓋であって、蓋側部を上に伸ばし更に蓋側部の上を覆いで覆って、蓋側部の内側に升を形成し蓋と升で升蓋として、蓋側部と升側部とにより蓋側部と升側部との間に空間を形成し、前記升蓋に液排口を設けその液排口に蓋を装着すると共に升の向う両面の一方の面上端に液流口ともうー面上端に空流口が設けられていることを特徴とする升蓋液体容器。